Podtech/llm-jp-corpus-v4-ja_patent huggingface dataset:
(57)【要約】      （修正有）【課題】既に市販されているパターに適用可能で、ゴルフのパッティングの際に、カップまでの距離を簡単な方法で計測する用品を提供する。【解決手段】パターに貼り付ける透明で細長い袋１と、その袋に挿入する耐湿性の短冊２があって、その短冊には或る間隔でマーキング３を施し、その位置における換算距離数と推奨のテーマバック量を２段に表示する。この短冊は身長別に用意してあり、購入したプレーヤは自分の身長に近い短冊を用意する。また短冊の裏面には１ｃｍ刻みの直定規になっており、プレーヤは自分でコースに合った最適のテークバック量が確認できる。【選択図】図１
0003100724.tif 000002
【実用新案登録請求の範囲】
【請求項１】
片面に接着剤を塗布した細長い透明の袋と、その袋に入れる耐湿性の短冊を具備し、その短冊の片面には或る間隔ごとにマーキングがあって、そのマーキングにはカップまでの換算距離数を表示した事を特徴とする距離計測機能付パター用品。
【請求項２】
短冊の片面に表示した或る間隔ごとのマーキングに、推奨するパターのテークバック量を併記した事を特徴とする請求項１記載の距離計測機能付パター用品。
【考案の詳細な説明】
【技術分野】
【０００１】      本考案はゴルフのパッティングの際に、カップまでの距離を簡単な方法で計測する場合に有効な用品を提供するものである。
【背景技術】
【０００２】      従来の計測方法はボールからカップまでの歩数で測っていたが誤差が大きく、精度良く測るには相当の経験が必要であった。
また実願２００３−３９３６で記載されている方法は、グリーン上のボール位置でパターのグリップ終端を目の高さに合わせて吊り下げ、腕は伸ばしたままカップを覗きこんだ時の目線とパターの交点を検出し、グリップ終端から交点までの長さとプレーヤ身長からカップまでの距離を換算するものである。
【考案の開示】
【考案が解決しようとする課題】
【０００３】      実願２００３−３９３６ではパターのグリップに或るマーキングを付け、プレーヤの身長に基ずく換算距離を表示したシールを貼る方式を採っているが、現在使用中のパターに広く対応する形態にはなっていない。
【課題を解決するための手段】
【０００４】      本考案は実願２００３−３９３６が有する課題を解決するもので、片面に接着剤を塗布した細長い透明の袋と、その袋に入れる耐湿性の短冊があって、その短冊の片面には或る間隔ごとのマーキングと、その位置における換算距離数とテークバックの推奨値を表示する。各マーキングの基準位置は短冊終端とし、グリップに貼り付けた透明の袋に入れる時、短冊終端とパターのグリップ終端を合わせておく。短冊は身長１５０ｃｍ、１６０ｃｍ、１７０ｃｍ、１８０ｃｍ、１９０ｃｍ用の５種をまとめて用意する。
【考案の効果】
【０００５】      カップまでの距離を精確に把握し、距離に合ったパターのテークバック量を普段の練習で身に付けておけば、安定したパッティング操作が出来る。特にメンタルなパッティングで精確な距離数と最適なテークバック量を事前に知る事は、不安を解消し良い結果を生み出す。
【考案を実施するための最良の形態】
【０００６】      細長い透明の袋をパターのグリップに貼り付け、その袋に耐湿性の短冊を入れる。その短冊には基準となるエッジから３ｃｍ、６ｃｍ、１０ｃｍ、１５ｃｍ、２０ｃｍ、３０ｃｍの所にマーキングを表示する。短冊は身長１５０ｃｍ、１６０ｃｍ、１７０ｃｍ、１８０ｃｍ、１９０ｃｍの５種を用意し、各マーキングには各身長に合った換算距離と推奨テークバック量を表示する。
【実施例１】
【０００７】      図１は本考案の細長い透明の袋１と、その袋に入れる短冊２を示している。この短冊２には或る間隔でマーキング３があり、その位置での換算距離数及び推奨テークバック量をそれぞれ上段、下段に記載してある。この短冊の裏面には１ｃｍ刻みの定規となっており、プレーヤはどのコースでもテークバック量を確認する事が出きる。
【実施例２】
【０００８】      図２は短冊の他に２つ折の直定規４を用意し、短冊２の裏面はマーキングと換算距離数の他に、各プレーヤが習慣となっているテークバック量を記入する空欄を用意している。
【図面の簡単な説明】
【０００９】
【図１】      距離計測機能付パター用品
【図２】      直定規と短冊の応用例
【符号の説明】
【００１０】１          透明の袋
２          耐湿性の短冊
３          マーキング
４          ２つ折の直定規
【図１】
0003100724.tif 000003
【図２】
0003100724.tif 000004
(57)【要約】
【課題】生前および死後にＤＮＡを保存する手段を提供する。
【解決手段】ポリエチレングリコールと塩化ナトリウム溶液の混合液２内に陰電荷を帯びたガラスビーズ３を入れ、この混合液２にＤＮＡを含む試料４を入れることによりＤＮＡに陽電荷を帯びさせ、ガラスビーズ３に付着させる。
このようにして、ＤＮＡが付着したガラスビーズを得る。
【選択図】図２
0003100729.tif 000002
【実用新案登録請求の範囲】
【請求項１】
生物の全ＤＮＡをガラスビーズに付着してなるＤＮＡ保存ガラスビーズ。
【請求項２】
請求項１記載のＤＮＡ保存ビーズを嵌め込み、組み込んだ物品。
【請求項３】
装身具類、位牌、墓石、骨壺、胸像、肖像画、肖像写真、家系図譜等の中から選択される請求項２記述の物品。
【考案の詳細な説明】
【背景分野】
【０００１】本考案は、生物のＤＮＡ保存ガラスビーズ、およびそれを嵌め込み、組み込んだ物品に関するものである。
【背景技術】
【０００２】ＤＮＡ解析技術は進歩し、血縁関係有無の判定には、このＤＮＡ解析技術は必要不可欠のものとなったが、個人が自分のＤＮＡを保存・維持することは不可能だった。
特に、殆どの故人が火葬に付される日本では、死後、火葬された故人の血縁関係の遺伝子鑑定は不可能だった。
【考案が解決しようとする課題】
【０００３】本考案は、上記従来の問題点を解決し、簡単な方法で生前および死後に自己のＤＮＡを保存し、将来起こり得るかもしれない血縁関係の鑑定、および子孫の先祖探しに役立つ手段を提供しようとする。
【課題を解決するための手段】
【０００４】上記課題を解決するため、本考案においては、人間等生物の全ＤＮＡをガラスビーズに付着してなるＤＮＡ保存ガラスビーズが提供される。
【０００５】また、本考案においては、このＤＮＡ保存ガラスビーズを嵌め込み、組み込んだ物品が提供される。
【０００６】この物品は、好ましくは、装身具類、位牌、墓石、骨壺、肖像画、肖像写真、家系図諸等の中から選択される物品である。
【考案の効果】
【０００７】本考案によれば、死後および生前に自己の全ＤＮＡをガラスビーズという装身具の一部にも使え、また、このガラスビーズを装身具類、位牌、墓石、骨壺、肖像画、肖像写真等に嵌め込み、組み込むことにより、将来起こり得る血縁関係の判定、それに子孫の先祖探しに役立てることができる。
従来、このようなガラスビーズに保存した遺伝子を、装身具類、位牌、墓石、骨壺、肖像画、肖像写真などに残しておく考案はなかった。この考案により、これまで解決手段のなかった故人の血縁に係有無に関する判定が１００％可能となる。
【考案を実施するための最良の形態】
【０００８】以下添付図面を参照して、本考案の実施形態について説明する。
本考案においては、個人の全ＤＮＡをガラスビーズに付着、固定することにより、全ＤＮＡを保存する。ＤＮＡを採取するには、綿棒等により個人の口中粘膜の一部を採取し試料とすることができる。口中粘膜以外でも血液、唾液、精液、骨、爪、羊水、その他、人体細胞が付着したものから試料を採取することができる。【０００９】使用するガラスビーズとしては、直径１ｍｍ〜８ｍｍ程度のガラスビーズが好適である。このガラスビーズにＤＮＡを付着させるには、ＤＮＡ試料中のＤＮＡに陽電荷を帯びさせることにより、本来陰電荷を帯びているガラスビーズに対してＤＮＡを吸着させる。
具体的には、図１に示すように電荷的に中性な容器１にポリエチレングリコール２０％と０．５モルの塩化ナトリウム溶液８０％の混合液２を注入し、この混合液２内にガラスビーズ３を入れると、ＤＮＡが含まれる試料４の中のＤＮＡは陽電荷を帯び、陰電荷を帯びたガラスビーズ３に吸引され、その表面に付着する。【００１０】こうしてＤＮＡがガラスビーズに３に付着した後、蛇口等の排液装置６を操作して、混合液２を排出すると、ＤＮＡが付着したガラスビーズ５が容器の底に残る。【００１１】この付着力は弱いので、付着を固定するため、ガラスビーズを公知のゲル物質で被膜することが望ましい。【００１２】このように処理され、ＤＮＡを付着、固定したガラスビーズを装身具類、位牌、墓石、骨壺、胸像、肖像画、肖像写真、家系図譜等に嵌め込み、接着等により組み込むＤＮＡ保存ビーズを装飾、ＤＮＡ鑑定などに利用することができる。
【図面の簡単な説明】
【００１３】
【図１】ガラスビーズを混合液中に入れた状態を示した説明図である。
【図２】試料に含まれているＤＮＡを陽電荷にし、ガラスビーズに付着させる工程を示した説明図である。
【図３】ＤＮＡが付着したガラスビーズを取り出す工程を示した説明図である。
【符号の説明】
【００１４】１  電荷的に中性の容器
２  ポリエチレングリコール（２０％）と塩化ナトリウム（ＸＸ％）の混合液
３  ガラスビーズ
４  ＤＮＡが含まれた試料
５  ＤＮＡが付着したガラスビーズ
６  排液装置
【図１】
0003100729.tif 000003
【図２】
0003100729.tif 000004
【図３】
0003100729.tif 000005
(57)【要約】      （修正有）【課題】脱着が容易で、船や壁沿、狭い場所で釣り用ハーネスを使用又は装着する際、釣り用ハーネスが邪魔にならないような釣り用ハーネスを提供する。【解決手段】本釣り用ハーネスは、突起物を一切設けず、釣竿最後部をはめるための窪みＤを有した。また、ベルトＣに脱着用のバックルを２つ装備した。【選択図】図１
0003100757.tif 000002
【実用新案登録請求の範囲】
【請求項１】
プレートＡに突起物を有さない釣り用ハーネス
【請求項２】
ベルトに２箇所の脱着用のバックルを有する請求項１の釣り用ハーネス
【考案の詳細な説明】
【考案の詳細な説明】
【技術分野】
【０００１】  本考案は釣り人が魚を釣り上げる際や、ルアーで魚を誘う際に、ポンピングなどする時、釣竿の最後部を本考案の釣り用ハーネスの所定の位置にはめて固定することで、釣り人の体を守り、疲労を軽減させ又、釣竿を楽に操れるようにする釣り具に係るものである。
【背景技術】
【０００２】  従来の釣り用ハーネスは、表面上に、釣竿の最後部を固定するための突起物が付いている。ベルト部は脱着用のバックルを１つ有す。
【考案が解決しようとする課題】
【０００３】  船や壁沿、狭い場所で、釣り用ハーネスを使用又は装着している際に、船縁や壁などに釣り用ハーネスの突起物が当たってしまい、寄りかかりづらく、近くに寄っている際も突起物が不意に当たってしまい、ガチャガチャとうるさく邪魔で、傷も付いてしまう虞があった。
【０００４】  また、釣り遠征などで、鞄へ荷物を収納する際、突起物が邪魔になって鞄のスペースを減らしていた。
【０００５】  ハーネス用のベルトを外す際、サポーターなどの複数のベルト通しに通している場合、１つのバックルだけであると、ベルト通しから全て外さなければならなかった。
【０００６】  本考案は、従来の技術の有するこの様な問題点に鑑みてなされたものであり、その目的とするところは、船縁や狭い場所、壁沿いで突起物を気にすることなく動いたり寄りかかったり、釣りが出来、収納に便利で、かつ脱着が容易な釣り用ハーネスを提供しようとするものである。
【課題を解決するための手段】
【０００７】  上記目的を達成するために、本考案における釣り用ハーネスは、突起物を一切設けず、釣竿最後部をはめるための窪みを有した。また、ベルトに脱着用のバックルを２つ装備した。
【考案を実施するための最良の形態】
【０００８】  プレート部Ａに窪みＤを設け、窪みＤに釣竿の最後部をはめて固定できるようにして、プレート部の表面に突起物を一切なくし、前述した窪み以外はフラット状にした。【０００９】
【０００８】に述べた、プレート部Ａの窪みは、プレート部Ａと衝撃緩和材Ｂに穴を開けてその穴に強固で頑丈な窪みを有す金属などをはめて固定しても良いものとする。【００１０】  本考案のハーネスのプレート部の両サイドにベルト脱着用の雌雄のバックルＧとＦを２組装備した。
【考案の効果】
【００１１】  船釣りをする際、本考案の釣り用ハーネスには突起物がないので、船縁近くで釣をしてもハーネスが当たりづらくなり、従来の突起物を気にすることなく釣が出来る。そして、釣り用ハーネスに傷が付いてしまう心配や、突起物が船縁や壁などに当たってガチャガチャ音をたてることがないので、船釣り以外にも、壁沿や狭い場所で歩いたり、釣りをする時も、とても便利である。
また、遠征時など、鞄に収納するときに、プレート部が窪みＤ以外、フラットなので、無駄なスペースをとることがない。
釣り人は、腰にサポーターを装着することが多く、そのサポーターにはベルト通しが装備されているので、釣り用ハーネスのベルトＣを通すことが出来る。本考案の釣り用ハーネスは、ベルト部のバックルが２組装備されているので、２組のバックルの雌と雄を離脱すれば、ブレート部と雌側のバックル部Ｆまで取り外すことが出来、残りの雄側のバックル部ＧとベルトＣは、サポーターに付けたままで良い。装着する時も２つの雄雌のバックルをはめるだけで手間がない。
【図面の簡単な説明】
【図１】本考案の釣り用ハーネスの正面図である。
【図２】本考案の釣り用ハーネスの背面図である。
【図３】本考案の釣り用ハーネスの平面図である。
【図４】本考案の釣り用ハーネスの底面図である。
【図５】本考案の釣り用ハーネスの右側面図である。
【図６】本考案の釣り用ハーネスの斜視図である。
【図７】本考案の釣り用ハーネスの２つのバックルの雌と雄を離脱した状態の平面図である。
【図８】従来品の釣り用ハーネスの正面図である。
【図９】従来品の釣り用ハーネスの平面図である。
【符号の説明】
Ａ  釣り用ハーネスのプレート
Ｂ  衝撃緩和材
Ｃ  ２つのバックルを有すベルト
Ｄ  釣竿最後部を受けるための窪み
Ｅ  釣竿最後部を受けるための突起
Ｆ  ベルトのバックルの雌部
Ｇ  ベルトのバックルの雄部
Ｈ  １つのバックルを有すベルト
【図１】
0003100757.tif 000003
【図２】
0003100757.tif 000004
【図３】
0003100757.tif 000005
【図４】
0003100757.tif 000006
【図５】
0003100757.tif 000007
【図６】
0003100757.tif 000008
【図７】
0003100757.tif 000009
【図８】
0003100757.tif 000010
【図９】
0003100757.tif 000011
(57)【要約】      （修正有）【課題】一般的に魚は浮上や潜行の行動以外、水面に対して平行に泳いだり休んだりするので。釣り用ルアーが水面または水中に着水している時に、魚の視線から見て、釣り用ルアーが水面に対して平行に近い姿勢である釣り用ルアーを提供する。【解決手段】本釣り用ルアーは最後部に浮きの役目を目的とした膨らみＡをつけた。【選択図】図５
0003100758.tif 000002
【実用新案登録請求の範囲】
【請求項１】
釣り用ルアーのボディ本体の最後部に浮きを目的とする膨らみＡを有す釣り用ルアー
【考案の詳細な説明】
【考案の詳細な説明】
【技術分野】
【０００１】  本考案は魚を誘う釣り用ルアーの最後部に浮きを有する釣り具に係るものである。
【背景技術】
【０００２】  従来の釣り用ルアーは、キャスティングする時により遠くへ飛ばす目的で本体の最後部に錘が付属している。水面、または水中に着水している時の釣り用ルアー本体の姿勢は、その錘の重さのために最後部に向けて斜め下に傾いている。
【考案が解決しようとする課題】
【０００３】  一般的に魚は浮上や潜行の行動以外、水面に対して平行に泳いだり休んだりする。魚の視線から見て、従来の釣り用ルアーは錘の重さのために最後部に向けて斜めに傾いているため、一般的な魚の姿勢と違うので、魚が、斜めに傾いている釣り用ルアーに不信感を抱き、魚が釣れる確率が下がる虞があった。
【０００４】  本考案は、従来の技術の有するこの様な問題点に鑑みてなされたものであり、その目的とするところは、釣り用ルアーが水面または水中に着水している時に、魚の視線から見て、釣り用ルアーが水面に対して平行に近い姿勢である釣り用ルアーを提供しようとするものである。
【課題を解決するための手段】
【０００５】  上記目的を達成するために、本考案の釣り用ルアーは最後部に浮きの役目を目的とした膨らみをつけた。
【考案を実施するための最良の形態】
【０００６】  釣り用ルアーの本体を成形する時に、最後部に浮きを目的とした膨らみＡを付け、その膨らみの後ろに錘Ｂを付属して、釣り用ルアーが水面または水中で水面に対して平行に近い姿勢をとるようにした。
【考案の効果】
【０００７】  魚は、より魚に近い姿勢の釣り用ルアーを好む傾向があるので、魚から見て水面に対して平行に近い本考案の釣り用ルアーは、より魚を魅了させ、食いつかせる確率を高くする。また、浮きを目的とした膨らみＡは、錘Ｂの直前にあるので、本考案の釣り用ルアーはバランスが良く、波や風などが強い時でも安定した姿勢を保つことが出来る。
【図面の簡単な説明】
【図１】本考案の釣り用ルアーの正面図である。
【図２】本考案の釣り用ルアーの背面図である。
【図３】本考案の釣り用ルアーの平面図である。
【図４】本考案の釣り用ルアーの底面図である。
【図５】本考案の釣り用ルアーの右側面図である。
【図６】本考案の釣り用ルアーの「図５」と他形体の右側面図である。
【図７】本考案の釣り用ルアーの「図２」と他形体の背面図である。
【図８】本考案の釣り用ルアーの「図５」と「図６」と他形体の右側面図である。
【図９】本考案の釣り用ルアーの「図２」と「図７」と他形体の背面図である。
【図１０】従来の釣り用ルアーの右側面図である。
【図１１】従来の釣り用ルアーの背面図である。
【符号の説明】
Ａ  本考案の釣り用ルアーの膨らみＢ  錘Ｃ  釣糸や釣針を結ぶための針金Ｄ  釣糸や釣針を結ぶためのサルカン
【図１】
0003100758.tif 000003
【図２】
0003100758.tif 000004
【図３】
0003100758.tif 000005
【図４】
0003100758.tif 000006
【図５】
0003100758.tif 000007
【図６】
0003100758.tif 000008
【図７】
0003100758.tif 000009
【図８】
0003100758.tif 000010
【図９】
0003100758.tif 000011
【図１０】
0003100758.tif 000012
【図１１】
0003100758.tif 000013
(57)【要約】      （修正有）【課題】多用なポーズでの運動を可能とする運動補助具を提供すること。【解決手段】断面略「Ｕ」字状の胴部１と、胴部１の少なくとも一端を封止する腰掛部となる板状部２とからなり、胴部１の前方部が、胴部１の後方に開口した背面部３に挿入可能な形状に構成されている。腰掛部となる板状部２は、好ましくは前方側が下方となり、後方側が上部となるように若干傾斜が付けられていて、前後の２箇所に背当部４を装着する穴５、５、５’、５’が設けられ、背当部４の支持部材６を着脱できるように構成されている。これにより、板状部２の傾斜と、背当部４の挿入位置とにより多様なポーズを採っていろいろな負荷を身体に与えることが可能となる。【選択図】図１
0003100794.tif 000002
【実用新案登録請求の範囲】
【請求項１】
断面略「Ｕ」字状の胴部と、前記胴部の少なくとも一端を封止するように設けられた板状部の腰掛部とからなり、前記胴部の前方部が、前記胴部の後方に開口した背面部に挿入可能な形状に構成されている運動補助具。
【請求項２】
前記板状部の腰掛部が、前後で傾斜するように構成されている請求項１に記載の運動補助具。
【請求項３】
前記腰掛部の前後の少なくとも一方側に背当部が装着可能に構成されている請求項１に記載の運動補助具。
【考案の詳細な説明】
【技術分野】
【０００１】
本考案は、筋力アップ体操や柔軟体操などに適した運動補助具に関するものである。
【背景技術】
【０００２】
運動は、本来的には身体だけを使用して行うため、ポーズが限定されて身体を有効に伸縮させることができなかったり、また逆に不慣れなものには身体に大きな負荷が掛かるため不可能な場合がある。
【考案の開示】
【考案が解決しようとする課題】
【０００３】
本考案はこのような問題に鑑みてなされたものであって、多用なポーズでの運動を可能とする運動補助具を提供することである。
【課題を解決するための手段】
【０００４】
このような課題を達成するために請求項１の考案は、断面略「Ｕ」字状の胴部と、前記胴部の少なくとも一端を封止するように設けられた板状部の腰掛部とからなり、前記胴部の前方部が、前記胴部の後方に開口した背面部に挿入可能な形状に構成されている。
請求項２の考案は、前記板状部の腰掛部が、前後で傾斜するように構成されている。
請求項３の考案は、前記腰掛部の前後の少なくとも一方側に背当部が装着可能に構成されている。
【考案の効果】
【０００５】
請求項１の考案によれば、板状部を上部とするように配置すると、椅子として機能するので、足首を断面略「Ｕ」字状の胴部の開口に掛けたポーズを採ることが出来る。胴部の丸み部を上部とするように倒すと、脇等に当てたポーズを採ることができる。さらに、前後に重ねるように収納でき、収納に必要な面積を小さくすることができる。
請求項２の考案によれば、座った状態では体に所定の傾斜を与えることができ、エクササイズ効果を高める起座体位（骨盤前傾姿勢）をとることができる。
請求項３の考案によれば、背当部を装着することにより座位での屈伸などのポーズをとることができる。
【考案を実施するための最良の形態】
【０００６】
そこで以下に本考案の詳細を図示した実施例に基づいて説明する。
図１(イ)乃至(ハ)、及び図２(イ)、（ロ）は、本考案の一実施例を示すものであって、略断面「Ｕ」字状の胴部１と、この胴部の一端を封止して腰を掛ることができる板状部２とを備え、胴部１の背面部３は空洞として開放されている。
【０００７】
腰掛部となる板状部２は、好ましくは前方側が下方となり、後方側が上部となるように若干傾斜が付けられていて、前後の２箇所に背当部４を装着する穴５、５、５’、５’が設けられ、背当部４の支持部材６を着脱できるように構成されている。これにより、板状部２の傾斜と、背当部４の挿入位置とにより多様なポーズを採っていろいろな負荷を身体に与えることが可能となる。なお、板状部２は、胴部１に固定するばかりでなく、前後の一方の端部に蝶番により開閉可能に取り付けることもできる。
【０００８】
また、胴部１は、また背面側が若干広く構成されているから、図２(ハ)に示したように前部側を、背面部３の開放されている開口に押し込むことが可能であるため、個数よりも床面積よりも狭い場所に収容することが可能となる。
【０００９】
このように胴部１が空洞として構成されているため、軽量であり、また収納に際しては狭い場所に多くを収容できる。
【００１０】
このように構成された運動補助具１０は、例えば図３(イ)に示したように必要に応じて背当部４を装着して図３(ロ)に示したように足首Ｌを背面に引っ掛けることにより、身体を安定して思い切り伸ばすことができる。
【００１１】
また図３(ハ)に示したように運動補助具の胴部１の背面３を下にすると安定な形態で載置できるから、この状態で脇を入れて抱き込むように身体を横たえると、身体を安定にしてその側面全体を思い切り伸ばすことが可能となる。
また、背中を胴部１に当てれば、身体の腹部を伸ばすなど、多様なポーズを安定に採ることが出来る。
【００１２】
また、背当部４を装着すれば座位運動用として活用することができる。
【図面の簡単な説明】
【００１３】
【図１】図(イ)乃至(ハ)は、それぞれ本考案の運動補助具の斜視図、側面図、及び上面図である。
【図２】図(イ)、(ロ)は、それぞれ本考案の運動補助具の背面を示す斜視図である。
【図３】図(イ)乃至(ハ)は、それぞれ同上運動補助具の使用例を示す図である。
【符号の説明】
【００１４】
１  胴部    ２  板状部    ３  背面部    ４  背当部    ５、５、５’、５’  穴    ６  支持部材  １０  運動補助具
【図１】
0003100794.tif 000003
【図２】
0003100794.tif 000004
【図３】
0003100794.tif 000005
(57)【要約】
［課題］  本考案は湯気や火等から手を守るために考えられた横向きのおたまである。
［解決手段］  本考案はおたまの付け位置を持ち手に平行に移動し横側に付ける事により上からではなく、横からすくう事ができる様に工夫されたおたまである。
【選択図】  図１
0003100786.tif 000002
【実用新案登録請求の範囲】
【請求項１】
おたまの付け位置を横にずらして、上からすくうのではなく横からすくう形にしたもの
【考案の詳細な説明】
【技術分野】
【０００１】おたまの付いている位置を横に移動し、使用し易くしたもの。
【背景技術】
【０００２】土鍋等の料理の時に上からおたまですくうと手に湯気がかかり非常に危険な思いをした。
【考案の開示】
【考案が解決しようとする課題】
【０００３】湯気がかからず、しかも安全にすくう事はできないものかと考えたもの。
【課題を解決するための手段】
【０００４】従来のおたまは、持ち手（柄）の伸びていった所におたまが直角の位置に付いているのでどうしても汁ものをすくう場合上からの位置ですくわないとすくう事ができなかった。
でも付け位置を横にずらした事により上からではなく横からでも容易にすくう事ができる形となった。
【考案の効果】
【０００５】中華鍋で炒めものする時も横向きになっているためおたまで中のものを返す事が非常に返し易くなる。
手の不自由な方、また寝たきりの方でも移動が少なくてすむ。
【考案の実施するための最良の形態】
【０００６】右利き、左利きでおたまをどちら側に付けるかが決まる。
また接続部分は図２ステーの部分に接触し易い様おたまの丸みに添って２ヶ所で止める様に先をカーブさせる。
【実施例】
【０００７】おたまの付け位置を横にずらした事により持ち手をさらに長く遠くする事ができる。
【図面の簡単な説明】
【０００８】
【図１】おたまの完成図を上から見た図である。
【図２】おたまの完成図を横から見た図である。
【符号の説明】
【０００９】１  持ち手（柄）
２  ステー
３  接続部
４  おたま
５  点線の部分がカーブ
【図１】
0003100786.tif 000003
【図２】
0003100786.tif 000004
(57)【要約】      （修正有）【課題】クリアーホルダーに１事件の大小大きさの異なる書類を適宜に区別して収める事により必要な書類を簡単に捜すことができ、又、事件名、氏名、住所等が人目で分かることにより同じようなクリアーホルダーの中から必要なクリアーホルダーを簡単に探すことができるようにする。【解決手段】クリアーホルダーに大小のホルダー部１、２を設けることにより１事件の大小大きさの異なる書類を適宜に分ける納める事により必要な書類をすぐに捜すことができる、又名札等入れポケット部３を設ける事によりそこに事件名、氏名、所在等を記載した札を入れておく事により、同じようなクリアーホルダーの中から必要なクリアーホルダーを簡単に探すことができる。【選択図】図１
0003100785.tif 000002
【実用新案登録請求の範囲】
【請求項１】
大きさの異なる２種類のホルダー部と、名札等入れポケット部を設けたクリアーホルダー。
【考案の詳細な説明】
【技術分野】
【００１】  本考案は、１つのクリアーホルダーに大きさの異なる２種類のホルダー部と名札等入れポケット部を設けたクリアーホルダーに関するものである。
【背景技術】
【００２】  従来のクリアーホルダーは、単体で大きさ（Ａ３判、Ｂ４判、Ａ４判等）の異なるクリアーホルダーはあった。また、名札等を入れる所はなかった。
【考案の開示】
【考案が解決しようとする課題】
【００３】  従来のクリアーホルダーは、１事件について色々な大きさの書類等が有る場合においても、まとめて入れておくため大きい書類も小さい書類も一緒になり必要な書類を捜すのに手間がかかった。【００４】また、クリアーホルダーが多くなると皆同じに見えて、必要なクリアーホルダーを探すのに手間がかかる欠点があった。
【課題を解決するための手段】
【００５】  本考案は、本体の大きいホルダー部の片面の表面に、入り口を同じ方向にした小さいホルダー部を設ける。【００６】  本体の大きいホルダー部の小さいホルダー部が有る同じ面の上部に名札等入れポケット部を設けたことにより上記の問題点を解決するものである。
【考案を実施するための最良の形態】
【００７】  本体の大きいホルダー部（色は自由）の片面の表面に、入り口を同じ方向にした小さいホルダー部（透明又は、半透明の素材）を設ける。【００８】  本体の大きいホルダー部の小さいホルダー部が有る同じ面の上部に名札等入れポケット部（透明の素材）を設けたことにより上記の問題点を解決するものである。
【実施例】
【００９】  以下、添付図面に従って一実施例を説明する。１・の本体の大きいホルダー部は一枚の合成樹脂の矩形を半分にして、７・の接着部で接着させ５・の２方の開放部から成る。１・の本体の大きいホルダー部の表面に、６・の開放部と８・の接着部で、１・と入り口を同じ方向にした２・の小さいホルダー部（半透明素材＝乳白色）を設ける。【０１０】  また、１・の本体の大きいホルダー部に２・の小さいホルダーが有る同じ面の上部に４・の１箇所の開放部と９・の３箇所の接着部からな成る３・の名札等入れポケット部（透明素材）を設けたツイン・クリアーホルダー。
【考案の効果】
【０１１】  上記の様に、本考案のツイン・クリアーホルダーは２種類の大小のホルダー部があるため、１事件で大小大きさの異なる書類がある場合においても、適宜に分けて入れておけるため簡単に必要な書類を捜すことができる。
また、事件の工程表等を小さいホルダー部（透明又は半透明の素材）に入れておけば工程表等を取り出すことなく人目で簡単に確認するこができる。
【０１２】  尚且つ、名札等入れポケット部に事件名、氏名、住所等を記載した名札を入れておけば、人目でどの事件のものであるかが分かり簡単に必要な書類を取り出すことができる。
【図面の簡単な説明】
【０１３】
【図１】  本考案のツイン・クリアーホルダーの実施例を示す正面平面図である。
【符号の説明】
【０１４】  １・・・本体の大きいホルダー部。
２・・・小さいホルダー部。
３・・・名札等入れポケット部。
４・・・ポケットの開放部。
５・・・本体の大きいホルダーの開放部。
６・・・小さいホルダー部の開放部。
７・・・本体の大きいホルダーの接着部。
８・・・小さいホルダーの接着部。
９・・・ポケット部の接着部。
【図１】
0003100785.tif 000003
(57)【要約】      （修正有）【課題】小型、軽量、安価な原稿立てを提供する。【解決手段】Ｕの字形の切り込み部１と折り曲げ用スジ押し部２，３を型抜きした樹脂板Ａを約８０〜９０度に折り曲げ、水平面Ｂに置く。Ｕの字形切込み部１に原稿Ｃを差し込んで使用すると、原稿Ｃが湾曲した状態になり、折れにくくなり、立てられる。板状で納品し、使用時に曲げる形態にすることにより輸送コストの大幅な削減となる。又、板状の材料のほぼ全面に印刷が可能な為、ロゴマーク、宣伝などを印刷することにより、販売促進目的の商品としても最適である。【選択図】図１
0003100784.tif 000002
【実用新案登録請求の範囲】
【請求項１】
板状の樹脂にＵの字形の切り込みが明けられ、そのＵの字形の切り込み部にかかる位置で折り曲げ、その切り込みに原稿写真、メモを差し込んで使用するスタンド。
【考案の詳細な説明】
【考案の詳細な説明】
【技術分野】
【０００１】本考案は、Ｕの字形の切込みが明けられ、そのＵの字形の切り込み部にかかる位置で折り曲げる樹脂板で構成された原稿立てに関するものである。
【背景技術】
【０００２】従来の原稿立ては、樹脂成形による嵩のある、比較的重量の重いものが多かった。
【考案の開示】
【０００３】従来の原稿立ては、樹脂成形などにより作られた比較的嵩のあるものが多く、製造、輸送コストが高かった。
【課題を解決するための手段】
【０００４】本考案における原稿立ては、樹脂などの板状の材料にＵの字形の切り込みが明けられ、そのＵの字形の切込みにかかる部分を約８０〜９０度に折り曲げた後、水平面に置き、Ｕの字形の切り込みに原稿、写真、メモなどを差し込んで使用するものである。
【考案の効果】
【０００５】本考案は、上述の通り構成されているので、次に記載する効果がある樹脂板を抜型で抜き、同時にスジ押しをする加工のみによる為、製造コストが非常に低くなる。又、板状で納品し、使用時に曲げる形態にすることにより輸送コストの大幅な削減となる。又、板状の材料のほぼ全面に印刷が可能な為、ロゴマーク、宣伝などを印刷することにより、販売促進目的の商品としても最適である。又、これらの加工は、樹脂成形によっても製造可能である。
【考案を実施するための最良の形態】
【０００６】図１のＡ樹脂板の２と３の折り曲げ用スジ押し部から折り曲げることにより、図２の状態を形成し、Ｂ水平面に置く。図３のようにＣ原稿を１、Ｕの字形切り込み部に差し込むことにより、Ｃ原稿が湾曲した状態になり、折れにくくなり、立てられる。【０００７】図４は、ロゴマーク、宣伝文を印刷した例である。【０００８】図５は、Ａ樹脂板を２と３の折り曲げ用スジ押し部のところから曲げたことにより４前面部に印刷されたロゴマークが前面にでた例を示している。【０００９】図６は、Ｄ写真を１、Ｕの字形切込み部に差し込み写真立てとして使用した例である。又、メモ紙などを差し込んで立てることも出来る。
【図面の簡単な説明】
【００１０】
【図１】型抜き、スジ押しされた樹脂板の正面図である。
【図２】折り曲げられた樹脂板の側面図である。
【図３】原稿を差し込んだ状態の斜視図である。
【図４】ロゴマーク、宣伝文が印刷された例の正面図である。
【図５】印刷された樹脂板が曲げられた状態の斜視図である。
【図６】写真立てとして使用された例の斜視図である。
【符号の説明】
【００１１】Ａ  樹脂板
Ｂ  水平面
Ｃ  原稿
Ｄ  写真
１、Ｕの字形切込み部
２、３、折り曲げ用スジ押し部
４、前面部
【図１】
0003100784.tif 000003
【図２】
0003100784.tif 000004
【図３】
0003100784.tif 000005
【図４】
0003100784.tif 000006
【図５】
0003100784.tif 000007
【図６】
0003100784.tif 000008
(57)【要約】　　　（修正有）【課題】　ブラッシング時の歯ブラシの衝突による歯牙、歯肉及び口腔内膜の傷害を防止すること。【解決手段】　歯ブラシ１は、硬質プラスチックで形成されたハンドル１１の前端１２に毛１３が植え込まれた歯ブラシにおいて、ハンドル前端の前縁開放端に射出整形方式で軟質特性を具えた緩衝ブロック１４が接合されたことを特徴とする。【選択図】　　　　図２
0003100021.tif 000002
【実用新案登録請求の範囲】
【請求項１】
　硬質プラスチックで形成されたハンドルの前端に毛が植え込まれた歯ブラシにおいて、ハンドル前端の前縁開放端に射出整形方式で軟質特性を具えた緩衝ブロックが接合されたことを特徴とする、歯ブラシ。
【請求項２】
　前記緩衝ブロックが軟質プラスチックで形成されたことを特徴とする、請求項１記載の歯ブラシ。
【請求項３】
　前記緩衝ブロックが軟質シリコン樹脂で形成されたことを特徴とする、請求項１記載の歯ブラシ。
【請求項４】
　前記緩衝ブロックが軟質ゴムで形成されたことを特徴とする、請求項１記載の歯ブラシ。
【考案の詳細な説明】
【技術分野】
【０００１】
　本考案は一種の歯ブラシに係り、特に、歯ブラシ前端に射出成形方式で軟質緩衝ブロックを結合する技術に関する。
【背景技術】
【０００２】
　周知の歯ブラシ１０は、図１に示されるように、いずれも硬質プラスチックでハンドル１０１が形成され、ハンドル１０１の前端１０２に毛１０３が植え込まれ、毛１０３で歯牙表面、歯肉及び歯間を掃除するのに用いられる。しかし、歯ブラシ１０のハンドル１０１は硬質プラスチックで形成されているため、ブラッシング過程で歯肉、口腔内膜及び歯牙を傷つけやすい。さらに、歯周病或いは虫歯の治療中の人であれば、ハンドル１０１の硬質の前端１０２の接触により出血したり更には細菌に感染することがあり、疾病を有する歯牙、歯肉が傷害を受けやすい。
【考案の開示】
【考案が解決しようとする課題】
【０００３】
　本考案の主要な目的は、一種の歯ブラシを提供することにあり、それは、歯ブラシのハンドル前端の前縁開放端面に軟質緩衝ブロックが射出成形により結合され、この軟質緩衝ブロックにより歯ブラシで口腔内をブラッシングする時、歯牙、歯肉、及び口腔内膜に対する触感を柔軟とし、歯牙、歯肉及び口腔内膜に対する傷害を防止することができるものとする。
【課題を解決するための手段】
【０００４】
　請求項１の考案は、硬質プラスチックで形成されたハンドルの前端に毛が植え込まれた歯ブラシにおいて、ハンドル前端の前縁開放端に射出整形方式で軟質特性を具えた緩衝ブロックが接合されたことを特徴とする、歯ブラシとしている。
　請求項２の考案は、前記緩衝ブロックが軟質プラスチックで形成されたことを特徴とする、請求項１記載の歯ブラシとしている。
　請求項３の考案は、前記緩衝ブロックが軟質シリコン樹脂で形成されたことを特徴とする、請求項１記載の歯ブラシとしている。
　請求項４の考案は、前記緩衝ブロックが軟質ゴムで形成されたことを特徴とする、請求項１記載の歯ブラシとしている。
【考案の効果】
【０００５】
　本考案と周知の歯ブラシとを比較すると、本考案は以下のような進歩性を有している。
　１．安全性が高い。正確なブラッシング方式を知らない人や障害者も、安心して使用できる。
　２．本考案の歯ブラシは歯牙、歯肉及び口腔内膜を傷つけず、このため歯や歯周病の治療中の人も安心して使用できる。且つブラッシング習慣が異なる人であっても使用でき、誰にでも適用し、十分にブラッシングの安全性を具えている。
【考案を実施するための最良の形態】
【０００６】
　図２、３、４に示されるように、本考案の歯ブラシ１は硬質プラスチックで形成されたハンドル１１を具え、該ハンドル１１の前端に毛１３が植え込まれ、毛１３を利用して口腔内の歯牙をブラッシングするのに用いられる。本考案の改良部分は以下のとおりである。
【０００７】
　該ハンドル１１の前端１２の前縁開放端面に軟質プラスチックで形成された緩衝ブロック１４が接合され、該緩衝ブロック１４は軟質シリコン樹脂、ゴムで形成されうる。
【０００８】
　本考案のハンドル１１は硬質プラスチックで形成され、硬質プラスチックと軟質プラスチック、シリコン樹脂及びゴムはいずれも相容性を具えて緩衝ブロック１４が射出成形でハンドル１１の前端１２と強固に固定されて脱落しない。ブラッシングに使用される時、毛１３で歯牙をブラッシングするが、不注意から衝突の状況が発生しても、軟質特性を具えた緩衝ブロック１４が柔軟に歯牙、歯肉及び口腔内膜に接触するため、歯牙、歯肉及び口腔内膜に対する接触圧力が緩和され、緩衝効果が発生し、ブラッシング時の歯牙、歯肉及び口腔内膜の傷害を防止できる。
【図面の簡単な説明】
【０００９】
【図１】周知の歯ブラシの斜視図である。
【図２】本考案の斜視図である。
【図３】本考案の部分平面図である。
【図４】本考案の部分組合せ断面図である。
【符号の説明】
【００１０】
１０　歯ブラシ　　　　　１０１　ハンドル　　　　　１０２　前端
１０３　毛　　　　　　　１　　歯ブラシ　　　　　　１１　ハンドル
１２　前端　　　　　　　１３　毛　　　　　　　　　１４　緩衝ブロック
【図１】
0003100021.tif 000003
【図２】
0003100021.tif 000004
【図３】
0003100021.tif 000005
【図４】
0003100021.tif 000006
(57)【要約】
　　【課題】　玉ねぎの皮を剥く手間を省いた食材を提供する。玉ねぎの皮は生ゴミ処理器で分解しにくいので、玉ねぎの皮がゴミとして出ないようにする。
　　【解決手段】　玉ねぎの皮を剥き、上端部及び下端部を切除して剥き玉ねぎ１とし、この剥き玉ねぎ１を殺菌処理したものを、プラスチックフィルム製の包装材２に入れて真空包装又は脱気包装し、包装剥き玉ねぎとして販売する。消費者は、包装材を取り除くだけで、玉ねぎをそのまま食べたり調理したりすることができる。
【選択図】　　図１
0003100030.tif 000002
【実用新案登録請求の範囲】
【請求項１】
　玉ねぎの皮を剥き、上端部及び下端部を切除して剥き玉ねぎとし、この剥き玉ねぎを殺菌処理したものを、プラスチックフィルム製の包装材に入れて真空包装又は脱気包装したことを特徴とする包装剥き玉ねぎ。
【考案の詳細な説明】
【技術分野】
【０００１】
　本考案は、包装された剥き玉ねぎに関するものである。
【背景技術】
【０００２】
　従来、販売されている玉ねぎは、玉ねぎを食したり調理したりするまでの期間を長くするため、皮を剥かずに、網袋などの空気が自由に流通できる包装材に入れられている（例えば非特許文献１参照）。
【０００３】
【非特許文献１】野菜のカタログ
【考案の開示】
【考案が解決しようとする課題】
【０００４】
　玉ねぎは皮を剥かずに販売されているため、消費者が玉ねぎを食したり調理したりするときは、いちいち皮を剥かなければならず、手間がかかる。その上、剥いた皮は非常に固い繊維質を多く含んでいるため、微生物による分解方式の生ゴミ処理器では分解できず、長期にわたり皮だけが残って堆積してしまうという問題があった。このようなことから、一般家庭では、玉ねぎの皮を剥く手間を省きたい、ゴミを少なくしたいという要望があった。また業務用に玉ねぎを調理する食品業界でも同様の要望があった。
【０００５】
　本考案の目的は、玉ねぎの皮を剥く手間がかからず、玉ねぎの皮がゴミとして出ることのない包装剥き玉ねぎを提供することにある。
【課題を解決するための手段】
【０００６】
　本考案に係る包装剥き玉ねぎは、玉ねぎの皮を剥き、上端部及び下端部を切除して剥き玉ねぎとし、この剥き玉ねぎを殺菌処理したものを、プラスチックフィルム製の包装材に入れて真空包装又は脱気包装したことを特徴とするものである。
【考案の効果】
【０００７】
　本考案に係る包装剥き玉ねぎは、包装材を取り除けば、そのまま食用に供したり、調理に供したりすることができるので、玉ねぎの皮を剥く手間がかからないという利点がある。特に業務用の場合は、玉ねぎの皮を剥く手間がかからないことから、調理時間の短縮、人件費の節約、調理品の原価低減を図ることができる。また分解しにくい玉ねぎの皮が家庭や業務用の調理場からゴミとして出ることがなくるので、ゴミの減量、生ゴミ処理器の処理能力向上にもつながる。また剥き玉ねぎの表面を殺菌処理した上で真空包装又は脱気包装されているので、食品としての安全性を保証できると共に、剥き玉ねぎが腐食しにくく、保存期間を長くすることができる。
【考案を実施するための最良の形態】
【０００８】
　図１は本考案に係る包装剥き玉ねぎの一実施形態を示す。図において、１は剥き玉ねぎ、２は剥き玉ねぎ１を包む包装材である。剥き玉ねぎ１は、図２に示すような皮付き玉ねぎ３の皮を剥き、上端部４（芽側の不要部分）及び下端部５（根側の不要部分）を平面Ｐ、Ｑで切断して除去したものである。図１において、４ａは上端側の切断面、５ａは下端側の切断面である。なお上端部４の切断は、芽を取り除くため、図３に示すように上端側切断面４ａに凹み６ができるように行ってもよい。剥き玉ねぎ１は、表面を殺菌処理した上で、プラスチックフィルム製の透明な包装材（袋）２に入れられ、真空包装されている。２ａは包装材２の開口部を熱融着により封止した部分である。
　なお図１では包装材２で真空包装した場合を示したが、包装は脱気包装であってもよい。脱気包装は、真空包装よりも空気を抜く程度が低く、包装材２の中で剥き玉ねぎ１が動けるような状態である。
【０００９】
　包装剥き玉ねぎは以上のような構成であるので、包装材２を取り除けば、皮のない剥き玉ねぎ１が得られ、そのまま食用に又は調理用に供することができる。したがって玉ねぎの皮を剥く手間がかからず、かつ玉ねぎの皮がゴミとして出ることがないという利点がある。
【００１０】
　上述の包装剥き玉ねぎは図４のような工程を経て製造することができる。まず皮付き玉ねぎを用意し（ステップ１０１）。この皮付き玉ねぎの皮を剥いて、例えば図２のように切断し（ステップ１０２）、剥き玉ねぎとする（ステップ１０３）、次にこの剥き玉ねぎを、次亜塩素酸ソーダを食品衛生上安全な濃度にまで水で希釈した低温の水溶液に、噴出気泡を与えながら数分間浸漬し、殺菌・洗浄を行う（ステップ１０４）。その後、清浄な流水に浸漬してすすぎを行う（ステップ１０５）。次に、オゾンミスト（オゾンの霧）の中を通過させて２度目の殺菌処理を行い（ステップ１０６）、室温で自然乾燥する（ステップ１０７）。その後、プラスチックフィルム製の包装材に入れ、真空包装又は脱気包装する（ステップ１０８）。以上で包装剥き玉ねぎの製品が出来上がる（ステップ１０９）。この製造方法では、殺菌処理を２度行っているため、より腐食しにくい包装剥き玉ねぎが得られる。
【図面の簡単な説明】
【００１１】
【図１】本考案に係る包装剥き玉ねぎの一実施形態を示す、（Ａ）は平面図、（Ｂ）は正面図、（Ｃ）は側面図。
【図２】皮付き玉ねぎの切断位置を示す正面図。
【図３】皮付き玉ねぎの上端部の切除の仕方の別な例を示す断面図。
【図４】本考案に係る包装剥き玉ねぎの製造方法の一例を示すブロック図。
【符号の説明】
【００１２】
１：剥き玉ねぎ
２：包装材
３：皮付き玉ねぎ
４：上端部
５：下端部
６：凹み
【図１】
0003100030.tif 000003
【図２】
0003100030.tif 000004
【図３】
0003100030.tif 000005
【図４】
0003100030.tif 000006
(57)【要約】
【課題】工事用安全柵の表示板が、風の強いときに風を受けにくいようにする。
【解決手段】手摺レール２の下に設ける表示部１２は、上下２本の水平の棒体１３ａ、１３ｂとそれらの間に配置した上下２枚の表示板１５ａ、１５ｂから構成す。表示板同士および表示板と棒体１３は帯紐１７で互にルーズに連結する。表示板１５ａ、１５ｂの間には風が通り抜ける隙間２３を設ける。この表示部１２を支持するために、上部フレーム１ａの内側に、２枚の板１９をＶ字状に溶接して座２０を形成し、その上に上側の棒体１３ａの端を載せて表示板を支持する。この２枚の板１９はさらに下方に延びており、それらの間に形成される溝２１の中に、下側の棒体１３ｂの端が入り込んでいる。
【選択図】図１
0003100041.tif 000002
【実用新案登録請求の範囲】
【請求項１】
　左右に配置した脚の間に手摺レールを渡し、該手摺レールの下方に表示板を前後に揺動自在に吊り下げたものであって、該表示板は、上下に何枚かに分割され、互に間隔をあけてルーズに結合され、最下段の表示板から水平の棒体を揺動自在に吊り下げ、該棒体が前後方向に動かないよう拘束するために、該脚の内面に沿って上下方向に溝を設け、該溝の中に該棒体の端を係合したことを特徴とする工事用安全柵。
【考案の詳細な説明】
【技術分野】
【０００１】
　本考案は、道路工事の現場を囲うための工事用安全柵（バリケード）に関する。
【背景技術】
【０００２】
　従来の工事用安全柵は、横から見て逆Ｖの字形の脚を左右に配置し、それら脚の間に手摺レールを渡し、手摺レールの下に表示板を支持してあり、この表示板には「安全第１」や「駐車禁止」等の文字が表示される。
【０００３】
　このような工事用安全柵は、強風時、表示板に風を受けて転倒しやすいという問題がある。風を受け止めないで逃すように、表示板を揺動自在に吊り下げたものもある。しかしこのものでは、強風時、風にあおれれて表示板が大きく揺れ動くので、人に当たると危険である。
【考案の開示】
【考案が解決しようとする課題】
【０００４】
　この考案は、工事用安全柵の表示板が、風の強いときに風を受けにくいようにすることを課題とする。
【課題を解決するための手段】
【０００５】
　本考案の工事用安全柵は、左右の脚の間に手摺レールを渡し、その下方に表示板を前後に揺動自在に吊り下げたものであって、表示板は、上下何段かに分割され、互に間隔をあけてルーズに結合される。最下段の表示板から水平の棒体を揺動自在に吊り下げ、この棒体が前後方向に動かないよう拘束するために、該脚の内面に沿って上下方向に溝を設け、該溝の中に該棒体の端を係合する。
【考案の効果】
【０００６】
　本考案の安全柵では、表示板が何段かに分割されていて、互に間隔をあけてルーズに結合されている。したがって、表示板と表示板の隙間から風が抜けるので強風時でも安全柵が転倒しにくい。また、最下段の表示板から水平の棒体を吊り下げ、この棒体が前後方向に動かないよう拘束するために、各脚の内面に沿って上下方向に溝を設け、該溝の中に該棒体の端を係合したので、風が強いときに、表示板エレメントの下縁が風で揺れ動くことがないので、通行人にも危険が少ない。
【考案を実施するための最良の形態】
【０００７】
　この工事用安全柵は、図１および図２に示すように、手摺レール２の左右端を脚１でそれぞれ支えたものである。左右の各脚１は、図２に示すように、前側および後側の脚からなり、いずれも上端が上部フレーム１ａにボルト３で枢支されている。なお、前側の左右の脚および後側の左右の脚はそれぞれ、連結タイ５で連結されている。安全柵はこれらの脚１を図２に実線で示すように、逆Ｖの字形に開いて地面に立てる。図４の符号６は脚１を逆Ｖ字状に開いた状態に固定するストッパである。運搬・保管時は、ストッパ６を外し、図２に鎖線で示すように脚１をすぼめた状態にする。
【０００８】
　連結タイ５には、図１および図３に示すように、脚１の隣りに補助脚７を取り付け、その間に重り板９を取り付けて、安全柵が風で倒れにくいようにする。重り板９は、鉄板９ａの両面に保護用のゴム板９ｂを貼ったものあり、ゴム板の表面には滑り止めのために縦横の溝が設けてある。鉄板９ａの両側には取付金具９ｃを溶接する。この取付金具に、脚の下端に通したボルト１０の先を固定し、重り板がこのボルトの軸線周りに回動することができるようにする。重り板９は、回動軸に対して前後非対称であり、一方は幅が狭い代わりに外に大きくせり出しており、他方はせり出しが小さい代わりに幅広に作ってある。設置場所が広いときは図３（ａ）のように、幅が狭いほうを外側に出す。逆に設定場所が狭いときは、同（ｂ）のように、幅広の方を外側に出す。
【０００９】
　運搬・保管時には重り板９が邪魔になるので、図３に示すように連結タイ５にストッパ１１を設け、立ち上げた状態の重り板（図１に鎖線で示す。）にこのストッパを掛けてその状態に固定できるようにする。
　手摺レール２の下に設ける表示部１２は、図１および図４に示すように、上下２本の水平の棒体１３ａ、１３ｂの間に上下２枚の表示板１５ａ、１５ｂを配置した構造になっている。各表示板には左右方向に間隔をあけて上下縁近くに矩形の孔１６を穿設し、これらの孔に帯紐１７を通すようにして表示板同士および表示板と棒体１３を互にルーズに連結する。なお、表示板１５ａ、１５ｂの間には風が通り抜ける隙間２３を設ける。上下２本の水平の棒体１３ａ、１３ｂは、上下２枚の表示板１５ａ、１５ｂより長く、端部が表示板より外に突き出ている。
【００１０】
　この表示部１２を支持するために、上部フレーム１ａの内側に、２枚の板１９をＶ字状に溶接して座２０を形成し、その上に上側の棒体１３ａの端を載せて表示部を支持する。この２枚の板１９はさらに下方に延びており、この延長部分も上部フレームに溶接されている。この２枚の板１９の間に形成される溝２１の中に、下側の棒体１３ｂの端（表示板より外側に突き出ている。）が入り込んでいる。符号２２は座２０から表示板が落ちないように支えているストッパであり、このストッパは図５に示すように、手摺レール２に溶接した、棒体１３ａを掛合するフック２２ａと、そのフックの口を開閉するための回動自在な板２２ｂと、この板をフックの口を閉じた状態に固定する蝶ナット２２ｃからなる。
【００１１】
　このように下の棒体１３ｂの端が溝２１の中に拘束されているので、表示板が強い風を受けた場合、図４に鎖線で示すように表示板１５は風下側に膨らむだけで、その下辺が風下側にバタバタと大きく振れることがなく安全である。また、上下の表示板の隙間２３から風が逃げるので、受ける風圧が小さくて済み、柵が倒れにくい。
【図面の簡単な説明】
【００１２】
【図１】工事用安全柵の正面図である。
【図２】同じく側面図である。
【図３】脚に取り付けた重り板の斜視図である。
【図４】図１のＡ−Ａ断面図である。
【図５】図１のＢ−Ｂ断面図である。
【符号の説明】
【００１３】
　１　　脚
　２　　手摺レール
　１２　表示部
　１３　棒体
　１５　表示板エレメント
　２１　溝
【図１】
0003100041.tif 000003
【図２】
0003100041.tif 000004
【図３】
0003100041.tif 000005
【図４】
0003100041.tif 000006
【図５】
0003100041.tif 000007